(57)【特許請求の範囲】
【請求項１】
顔データ収集部、サービスプロバイダ管理部、及びアプリケーション管理部を備えるシステムにおいて実行される、顔面基盤サービスを提供するための方法であって、
（ａ）前記顔データ収集部が、顔データを含む顔面基盤データを少なくとも１つのユーザーについて収集するステップと、
（ｂ）前記サービスプロバイダ管理部が、サービスの提供を希望する第１ユーザーにマッチングするサービスプロバイダを決定するステップと、
（ｃ）前記サービスプロバイダ管理部が、前記第１ユーザーの顔面基盤データを前記決定されたサービスプロバイダのサーバに送信するステップと、
（ｄ）前記サービスプロバイダ管理部が、前記決定されたサービスプロバイダから前記第１ユーザーに提供されるサービスによって変更又は新たに作成される顔面基盤データを前記サービスプロバイダのサーバから受信するステップと、
（ｅ）前記アプリケーション管理部が、前記（ａ）、（ｂ）、（ｃ）及び（ｄ）ステップのうちの少なくとも１つのステップで処理されるデータに関する情報又は、前記（ａ）、（ｂ）、（ｃ）及び（ｄ）ステップのうちの少なくとも１つのステップで実行される動作に関する情報を前記第１ユーザーの端末装置に提供するステップとを備え、
前記顔データは、前記少なくとも１つのユーザーの顔全体又は顔の各部位のサイズ、比率、及び位置に関するデータ、並びに前記少なくとも１つのユーザーの顔全体又は顔の各部位の画像を含み、
前記マッチングは、前記第１ユーザーの前記顔面基盤データ、前記第１ユーザーが提供を希望するサービス、及び少なくとも１つの登録されたサービスプロバイダのカテゴリに基づき、既に設定されたサービスプロバイダのプールに登録された少なくとも１つのサービスプロバイダの中から前記サービスプロバイダを検索することにより実行される、顔面基盤サービスを提供するための方法。
【請求項２】
前記顔データは、顔面骨スキャン装置及び顔画像生成装置のうち少なくとも１つによって生成される請求項１に記載の顔面基盤サービスを提供するための方法。
【請求項３】
前記顔面基盤データには、前記顔データに関連して生成された相談のデータが含まれている請求項１に記載の顔面基盤サービスを提供するための方法。
【請求項４】
前記サービスプロバイダには、医療関連サービスプロバイダ、化粧品関連サービスプロバイダ、眼鏡関連サービス及びアクセサリー関連サービスプロバイダのうち少なくとも１つが含まれている請求項１に記載の顔面基盤サービスを提供するための方法。
【請求項５】
前記（ａ）、（ｂ）、（ｃ）及び（ｄ）ステップのうちの少なくとも１つのステップで処理されるデータに対応する付加情報を、前記第１ユーザーの端末装置に送信する請求項１に記載の顔面基盤サービスを提供するための方法。
【請求項６】
ユーザーの端末装置又はサービスプロバイダのサーバから受信されるプッシュ通知を、前記プッシュ通知に対応するサービスプロバイダのサーバ又は前記プッシュ通知に対応するユーザーの端末装置にそれぞれ送信する請求項１に記載の顔面基盤サービスを提供するための方法。
【請求項７】
請求項１から請求項６のいずれか一項に従った方法を実行するためのコンピュータプログラムを記録する非一時的なコンピュータ読み取り可能な記録媒体。
【請求項８】
顔面基盤サービスを提供するためのシステムであって、
顔データを含む顔面基盤データを少なくとも１つのユーザーについて収集する顔データ収集部と、
サービスの提供を受けたい第１ユーザーにマッチングされているサービスプロバイダを決定し、前記第１ユーザーの顔面基盤データを前記決定されたサービスプロバイダのサーバに送信し、前記決定されたサービスプロバイダから前記第１ユーザーに提供されるサービスによって変更又は新たに作成される顔面基盤データを、前記サービスプロバイダのサーバから受信するサービスプロバイダ管理部と、
前記顔データの収集部及び前記サービスプロバイダ管理部によって管理されるデータに関する情報、又は前記顔データ収集部及び前記サービスプロバイダ管理部によって実行される動作に関する情報を、前記第１ユーザーの端末装置に提供するアプリケーション管理部とを備え、
前記顔データは、前記少なくとも１つのユーザーの顔全体又は顔の各部位のサイズ、比率、及び位置に関するデータ、並びに前記少なくとも１つのユーザーの顔全体又は顔の各部位の画像を含み、
前記マッチングは、前記第１ユーザーの前記顔面基盤データ、前記第１ユーザーが提供を希望するサービス、及び少なくとも１つの登録されたサービスプロバイダのカテゴリに基づき、既に設定されたサービスプロバイダのプールに登録された少なくとも１つのサービスプロバイダの中から前記サービスプロバイダを検索することにより実行される、顔面基盤サービスを提供するためのシステム。
【発明の詳細な説明】
【技術分野】
【０００１】
本発明は、顔面基盤サービス（ｆａｃｅ−ｂａｓｅｄ  ｓｅｒｖｉｃｅ）を提供するための方法、システム、及び非一時的なコンピュータ読み取り可能な記録媒体に関するものである。
【背景技術】
【０００２】
外見への関心が高まるにつれ、整形手術、皮膚科手術、化粧品、アクセサリーのように外見を磨くことができるよう支援するサービスや商品に関する関心も共に高まっている。伝統的に、前記のようなサービスや商品は、小規模ビジネス（ｓｍａｌｌ  ｂｕｓｉｎｅｓｓ）主体を通じて個別的に提供されてきており（ｉｎｄｉｖｉｄｕａｌ  ｐｌａｙ）、こういった小規模ビジネスの主体は先制的なマーケティングと言うより、後発的なマーケティングをせざるを得ず（ｒｅａｃｔｉｖｅ  ｍａｒｋｅｔｉｎｇ）、その度の状況に合わせてサービスや商品を提供することに汲々としていた（ｉｎｓｔａｎｔ  ｓｅｒｖｉｃｅ）。最近では、外見を磨くことができるよう支援するサービスや商品に関する需要が爆発的に増加するにつれ、従来の伝統的な方法によるサービスや商品を提供する事に対し問題と限界が明らかになっている。
【０００３】
特に、整形手術などの医療サービスの場合、国内の整形手術の市場規模が約５兆ウォン（ＫＲＷ）に迫っているにもかかわらず、整形手術に関するサービスを提供する方法は、まだ伝統的な方法にとどまっているため、多くの問題点が発生している。例えば、患者が病院の広報や説明だけに依存して整形手術を受けたことにより、患者自身が満足する手術の結果が得られないケース、患者と病院との間で整形手術を斡旋するブローカーがひたすら経済的利益のみを目的に適切でない斡旋行為を行うために、患者が経済的又は精神的な被害に遭うケースなどが数多く発生している。
【０００４】
整形手術は、基本的に医療行為に該当するので、患者は病院（あるいは前述したブローカー）に比べ、十分な情報を知らない状態でのサービスを提供されることになるが、このような情報の非対称により少なくない問題が発生している。特に、整形手術を受けるために韓国を訪問する外国人の場合には、言語的な障壁と国内事情に対する無知が加わって、より大きな被害に遭うケースも発生している。
【発明の概要】
【発明が解決しようとする課題】
【０００５】
本発明は、前述した従来技術の問題点をすべて解決することをその目的とする。
【課題を解決するための手段】
【０００６】
また、本発明は、顔データ生成装置によって生成された顔データを含む顔面基盤データ（顔に関するデータ）を少なくとも１つのユーザーについて収集し、サービスの提供をされたい第１ユーザーの顔面基盤データにマッチングされているサービスプロバイダを決定し、第１ユーザーの顔面基盤データを、前記の決定されたサービスプロバイダのサーバに送信して、前記のサービスプロバイダから前記第１ユーザーに提供されるサービスによって変更又は新たに生成される顔面基盤データを、前記のサービスプロバイダのサーバから受信し、前記のプロセスで処理されるデータに関する情報や、前記の過程で実行される動作に関する情報を第１ユーザーの端末装置に提供することにより、ユーザーが自分の顔面基盤データに適した顔面基盤サービスを提供するようにして、サービス提供の過程で関連情報を明確に提供することを他の目的とする。
【０００７】
前記目的を達成するための本発明の代表的な構成は、以下の通りである。
本発明の一態様によると、顔データ収集部、サービスプロバイダ管理部、及びアプリケーション管理部を備えるシステムにおいて実行される、顔面基盤サービスを提供するための方法であって、（ａ）前記顔データ収集部が、顔データを含む顔面基盤データを少なくとも１つのユーザーについて収集するステップと、（ｂ）前記サービスプロバイダ管理部が、サービスの提供を希望する第１ユーザーにマッチングするサービスプロバイダを決定するステップと、（ｃ）前記サービスプロバイダ管理部が、前記第１ユーザーの顔面基盤データを、前記決定されたサービスプロバイダのサーバに送信するステップと、（ｄ）前記サービスプロバイダ管理部が、前記決定されたサービスプロバイダから前記第１ユーザーに提供されるサービスによって変更又は新たに作成される顔面基盤データを、前記サービスプロバイダのサーバから受信するステップと、（ｅ）前記アプリケーション管理部が、前記（ａ）、（ｂ）、（ｃ）及び（ｄ）ステップのうちの少なくとも１つのステップで処理されるデータに関する情報又は、前記（ａ）、（ｂ）、（ｃ）及び（ｄ）ステップのうちの少なくとも１つのステップで実行される動作に関する情報を前記第１ユーザーの端末装置に提供するステップとを備える方法が提供される。前記顔データは、前記少なくとも１つのユーザーの顔全体又は顔の各部位のサイズ、比率、及び位置に関するデータ、並びに前記少なくとも１つのユーザーの顔全体又は顔の各部位の画像を含む。前記マッチングは、前記第１ユーザーの前記顔面基盤データ、前記第１ユーザーが提供を希望するサービス、及び少なくとも１つの登録されたサービスプロバイダのカテゴリに基づき、既に設定されたサービスプロバイダのプールに登録された少なくとも１つのサービスプロバイダの中から前記サービスプロバイダを探すことにより実行される。
【０００８】
また、本発明の他の態様によると、顔面基盤サービスを提供するためのシステムであって、顔データを含む顔面基盤データを少なくとも１つのユーザーについて収集する顔データ収集部と、サービスプロバイダの紹介アルゴリズムを用いて、サービスの提供をされたい第１ユーザーの顔面基盤データにマッチングされているサービスプロバイダを決定し、前記第１ユーザーの顔面基盤データを前記決定されたサービスプロバイダのサーバに送信し、前記決定されたサービスプロバイダから前記第１ユーザーに提供されるサービスによって変更又は新たに作成される顔面基盤データを、前記サービスプロバイダのサーバから受信するサービスプロバイダ管理部と、前記顔データの収集部と、前記サービスプロバイダ管理部によって管理されるデータに関する情報又は前記顔データ収集部と、前記サービスプロバイダ管理部によって実行される動作に関する情報を、前記第１ユーザーの端末装置に提供するアプリケーション管理部とを備えるシステムが提供される。前記顔データは、前記少なくとも１つのユーザーの顔全体又は顔の各部位のサイズ、比率、及び位置に関するデータ、並びに前記少なくとも１つのユーザーの顔全体又は顔の各部位の画像を含む。前記マッチングは、前記第１ユーザーの前記顔面基盤データ、前記第１ユーザーが提供を希望するサービス、及び少なくとも１つの登録されたサービスプロバイダのカテゴリに基づき、既に設定されたサービスプロバイダのプールに登録された少なくとも１つのサービスプロバイダの中から前記サービスプロバイダを探すことにより実行される。
【０００９】
この他にも、本発明を実施するための別の方法、他のシステム及び前記方法を実行するためのコンピュータプログラムを記録する非一時的なコンピュータ読み取り可能な記録媒体がさらに提供される。
【発明の効果】
【００１０】
本発明によれば、サービスの提供をされたいユーザーが自分の顔面基盤データに適したサービスを受けることができるようになり、サービスを提供過程で関連情報を透過的に提供されることができるようになる効果が達成される。
【００１１】
また、本発明によれば、顔面基盤サービスを提供するサービスプロバイダがユーザーの状況やニーズ（ｎｅｅｄｓ）を正確に把握できるようになる効果が達成される。
また、本発明によれば、ユーザーとサービスプロバイダとの間のコミュニケーション（すなわち、情報交換）が円滑に行われるようになる効果が達成される。
【図面の簡単な説明】
【００１２】
【図１】図１は、本発明の一実施例に係る顔面基盤サービスを提供するためのシステム全体の概略的な構成を示す図である。
【図２】図２は、本発明の一実施形態に係るメインシステムの内部構成を詳細に示す図である。
【図３】図３は、本発明の一実施例に係るアプリケーション（別名、「Ｐｒｅｖｉｅｗｔｙ」）を介して顔面基盤サービスに関する情報が提供されている画面を例示的に示す図である。
【図４】図４は、本発明の一実施例に係るアプリケーション（別名、「Ｐｒｅｖｉｅｗｔｙ」）を介して多様な付加情報が提供される画面を例示的に示す図である。
【図５】図５は、本発明の一実施例に係るプッシュ通知（Ｐｕｓｈ  Ｎｏｔｉｆｉｃａｔｉｏｎ）が伝達される構成を例示的に示す図である。
【発明を実施するための形態】
【００１３】
後述する本発明の詳細な説明は、本発明が実施されることができる特定の実施例を例示として示す添付図面を参照する。これらの実施例は、当業者が本発明を実施することがあるため十分に詳細に説明される。本発明の様々な実施例は、互いに異なるが、相互に排他的である必要はないことが理解されるべきである。
【００１４】
例えば、本明細書に記載されている特定の形状、構造、及び特性は、本発明の精神と範囲を逸脱せず一実施例から、他の実施例に変更されて実装されることができる。また、それぞれの実施例内の個々の構成要素の位置又は配置も、本発明の精神と範囲を逸脱せず変更されることがあることが理解されるべきである。したがって、後述する詳細な説明は、限定的な意味として行われるものではなく、本発明の範囲は、特許請求の範囲の請求項が請求する範囲とそれと均等なすべての範囲を網羅するもので受け入れられなければならない。図面での同様な参照符号は、いくつかの側面に亘って同一又は類似の構成要素を示す。
【００１５】
以下では、本発明が属する技術分野で通常の知識を有する者が本発明を容易に実施できるようにするために、本発明のいくつかの好ましい実施形態について添付された図面を参照して詳細に説明する。
【００１６】
システム全体の構成
図１は、本発明の一実施例に係る顔面基盤サービスを提供するためのシステム全体の概略構成を示す図である。
【００１７】
図１に示すように、本発明の一実施形態に係るシステム全体は、ネットワーク１００、メインシステム２００、ユーザー端末装置３００、サービスプロバイダサーバ４００と顔データ生成装置５００とを含んで構成されることがある。
【００１８】
まず、本発明の一実施形態に係るネットワーク１００は、有線通信や無線通信などの通信形態を問わず構成することができ、ローカルエリアネットワーク（ＬＡＮ；  Ｌｏｃａｌ  Ａｒｅａ  Ｎｅｔｗｏｒｋ）、都市圏ネットワーク（ＭＡＮ；  Ｍｅｔｒｏｐｏｌｉｔａｎ  Ａｒｅａ  Ｎｅｔｗｏｒｋ）、広域ネットワーク（ＷＡＮ；  Ｗｉｄｅ  Ａｒｅａ  Ｎｅｔｗｏｒｋ）など、さまざまな通信網で構成されることができる。好ましくは、本明細書でいうネットワーク１００は、公知のインターネット又はワールド・ワイド・ウェブ（ＷＷＷ；  Ｗｏｒｌｄ  Ｗｉｄｅ  Ｗｅｂ）であることがある。しかし、ネットワーク１００は、あえてこれに限定される必要がなければ公知の有無線データネットワーク、公知の電話網又は公知の有無線テレビネットワークをその少なくとも一部において含むこともできる。
【００１９】
次に、本発明の一実施形態に係るメインシステム２００は、ネットワーク１００上でユーザー端末装置３００、サービスプロバイダサーバ４００又は顔データ生成装置５００と連動して、顔データ生成装置５００によって生成された顔データを含む顔面基盤データを少なくとも１つのユーザーについて収集し、サービスプロバイダの紹介アルゴリズムを利用して、第１ユーザーの顔面基盤データにマッチングされているサービスプロバイダを決定し、第１ユーザーの顔面基盤データを、前記の決定されたサービスプロバイダのサーバ４００に送信し、前記のサービスプロバイダから前記第１ユーザーに提供されるサービスによって変更されたり新たに作成された顔の関連データを、前記のサービスプロバイダのサーバ４００から受信し、前記のプロセスで処理されるデータに関する情報や、前記の過程で行われる動作に関する情報を第１ユーザーの端末装置３００に提供することにより、ユーザーが自分の顔面基盤データに適した顔面基盤サービスの提供を受けることができるようにしてサービスを提供する過程で関連情報を透過的に提供することを可能にする機能を実行することができる。
【００２０】
本発明に係るメインシステム２００の構成と機能については、以下の詳細な説明を介して詳しく調べてみることにする。
次に、本発明の一実施形態に係るユーザー端末装置３００は、ユーザーがメインシステム２００、サービスプロバイダサーバ４００又は顔データ生成装置５００に接続した後、通信できるようにする機能を含むデジタル機器としてスマートフォン、タブレット、パソコン（デスクトップ、ラップトップ）のように、メモリ手段を備えてマイクロプロセッサを搭載して演算能力を備えたデジタル機器であれば、いくらでも本発明に係るユーザー端末装置３００として採用することができる。
【００２１】
次に、本発明の一実施例に係るユーザー端末装置３００は、ユーザーが本発明によるサービスの提供を受けることができるようサポートするアプリケーションがインストールされてあることがある。ユーザー端末装置３００に設置されているアプリケーションの構成と機能については、以下の詳細な説明を介して見てみることにする。
【００２２】
次に、本発明の一実施形態に係るサービスプロバイダサーバ４００は、サービスプロバイダがメインシステム２００、ユーザー端末装置３００又は顔データ生成装置５００に接続した後、通信できるようにする機能が含まれているデジタル機器として、スマートフォン、タブレット、パソコン（デスクトップ、ラップトップ）、ワークステーションなどのように、メモリ手段を備えてマイクロプロセッサを搭載して演算能力を備えたデジタル機器であれば、いくらでも本発明に係るユーザー端末装置３００として採用されることができる。例えば、本発明の一実施形態に係るサービスプロバイダサーバ４００は、病院が運営するサーバ、化粧品販売者が運営するサーバ、メガネなどのアクセサリー販売者が運営するサーバなどであることができる。
【００２３】
次に、本発明の一実施形態に係る顔データ生成装置５００は、メインシステム２００、ユーザー端末装置３００又はサービスプロバイダサーバ４００に接続した後、通信できるようにする機能が含まれてデジタル機器で、ユーザーの顔を直接スキャンしたり、撮影してユーザーの顔データを生成する機能を実行する。本発明の一実施例によると、顔データ生成装置５００は、顔面骨スキャン装置（ｆａｃｉａｌ  ｂｏｎｅ  ｓｃａｎｎｅｒ）、顔画像撮影装置などを含むことができる。本発明の一実施例によると、顔データ生成装置５００は、ユーザーが簡単に訪れることができる場所（例えば、コンシェルジュセンター（Ｃｏｎｃｉｅｒｇｅ  Ｃｅｎｔｅｒ））に配置することができ、サービスプロバイダが運営する機関や店頭（例えば、病院、化粧品売り場など）にも配置することができる。
【００２４】
メインシステムの構成
以下では、本発明に係るメインシステム２００の内部構成と、各構成要素の機能について見てみることにする。
【００２５】
図２は、本発明の一実施形態に係るメインシステム２００の内部構成を詳細に示す図である。
図２に示すように、本発明の一実施形態に係るメインシステム２００は、顔データ収集部２１０、サービスプロバイダ管理部２２０、アプリケーション管理部２３０、通信部２４０と制御部（２５０）とを含んで構成されることがある。本発明の一実施例によると、顔データ収集部２１０、サービスプロバイダ管理部２２０、アプリケーション管理部２３０、通信部２４０と制御部（２５０）は、そのうちの少なくとも一部がユーザー端末装置３００、サービスプロバイダサーバ４００又は顔データ生成装置５００と通信するためのプログラムモジュールであることがある。これらのプログラムモジュールは、オペレーティングシステム、アプリケーションモジュール、又は他のプログラムモジュールの形で、メインシステム２００に含まれることがあり、物理的にはいくつか公知の記憶装置に保存することがある。
【００２６】
また、これらのプログラムモジュールは、メインシステム２００と通信可能なリモート記憶装置に保存することもできる。一方、これらのプログラムモジュールは、本発明に基づいて、後述する特定の業務を実行したり、特定の抽象データ型を実行するルーチン、サブルーチン、プログラム、オブジェクト、コンポーネント、データ構造などを包括するがこれに限定されない。
【００２７】
まず、本発明の一実施例によると、顔データ収集部２１０は、顔データ生成装置５００によって生成された顔データを含む顔面基盤データを少なくとも１つのユーザーについて収集する機能を実行することができる。具体的には、本発明の一実施例によると、顔データは所定の場所に設置されている顔面骨スキャン装置（ｆａｃｉａｌ  ｂｏｎｅ  ｓｃａｎｎｅｒ）又は顔画像撮影装置によって生成されることができる。例えば、顔データには、ユーザーの顔全体や顔の各部位のサイズ、比率、位置等に関するデータと、顔全体や顔の各部位の画像が含まれることがある。ここで、顔データに含まれる画像は、撮影された実際の画像、又はスキャン及びレンダリングされた仮想イメージであることがあり、これらの画像は２Ｄ又は３Ｄ画像であることがある。
【００２８】
また、本発明の一実施例によると、顔面基盤データには顔データと関連付けされて生成された相談のデータがさらに含まれることがある。具体的には、本発明の一実施例によると、相談データは関連付けられている顔データに基づいて自動的に生成されるか、管理者（例えば、医師、専門カウンセラーなどの専門家）によって手動で作成することができる。
【００２９】
次に、本発明の一実施例によると、サービスプロバイダ管理部２２０は、所定のサービスプロバイダの紹介アルゴリズムを用いて、サービスの提供をされたいユーザーの顔面基盤データにマッチングされているサービスプロバイダを決定する機能を実行することができる。
【００３０】
具体的には、本発明の一実施例によると、サービスプロバイダ管理部２２０は既に設定されてあるサービスプロバイダのプール（ｐｏｏｌ）に登録されている少なくとも１つのサービスプロバイダを対象にして、ユーザーの顔面基盤データにマッチングされているサービスプロバイダを検索することができる。
【００３１】
また、本発明の一実施例によると、サービスプロバイダのプールには、整形手術、皮膚科手術などの医療サービスプロバイダ、化粧品、眼鏡などの商品プロバイダなどが含まれており、これらのサービスの管理者は、サービスプロバイダのプール内でのカテゴリに応じて分かれて保存されることができる。一方、本発明の一実施例によると、サービスプロバイダのプールは、サービスプロバイダの申請やメインシステム２００管理者の承認によって構成されることができる。
【００３２】
また、本発明の一実施例によると、サービスプロバイダ管理部２２０は、サービスの提供をされたいユーザーの顔面基盤データと一致するものと決定されたサービスプロバイダのサーバ４００に、そのユーザーの顔面基盤データを転送する機能を実行することができる。前記のように送信された顔面基盤データは、サービスプロバイダがそのユーザーに顔面基盤サービスを提供する形として活用されることができる。
【００３３】
また、本発明の一実施例によると、サービスプロバイダ管理部２２０は、サービスプロバイダからユーザーに提供されるサービスによって変更されたり新たに作成された顔面基盤データをサービスプロバイダのサーバ４００から受信する機能を実行することができる。例えば、ユーザーがサービスプロバイダである病院で整形手術を受ける場合を想定することができ、このような場合、整形手術によってそのユーザーの顔に変化が発生したことにより、そのユーザーの顔データが変更されたり新たに作成されることがあるが、本発明の一実施形態に係るサービスプロバイダ管理部２００は、前記のように変更されたり新たに作成された顔面基盤データを、サービスプロバイダのサーバ４００から受信することができる。
【００３４】
次に、本発明の一実施例によると、アプリケーション管理部２３０は、ユーザーが自分の端末装置３００を介して前述した顔データ収集部２１０及びサービスプロバイダ管理部２２０によって処理されるデータや実行される動作に関する情報（つまり、顔面基盤サービスに関する情報）の提供を受けることができるようサポートするアプリケーションを管理する機能を実行することができる。
【００３５】
具体的には、本発明の一実施例によると、ユーザー端末装置３００に設置されているアプリケーションを介してユーザーは自分の顔面基盤データの情報、自分の顔関連データにマッチングされているものと決定されたサービスプロバイダに関する情報、サービスプロバイダによって変更されたり新たに作成された自分の顔面基盤データの情報などの提供を受けることができる。
【００３６】
図３は、本発明の一実施例に係る、アプリケーション（別名、「Ｐｒｅｖｉｅｗｔｙ」）を介して顔面基盤サービスに関する情報が提供されている画面を例示的に示す図である。
【００３７】
また、本発明の一実施例によると、アプリケーション管理部２３０は、ユーザーが自分の端末装置３００を介して自分の顔面基盤データとの関連性がある付加情報や自分の顔面基盤データにマッチングされているものと決定されたサービスプロバイダとの関連性がある付加情報の提供を受けることができるようサポートするアプリケーションを管理する機能を実行することができる。例えば、付加情報には、ユーザーの顔面基盤データとの関連性があるサービスや商品を宣伝する広告情報、ユーザーの現在位置からサービスプロバイダの店舗の位置まで移動するのに必要なルート情報などが含まれることがある。
【００３８】
図４は、本発明の一実施例に係る、アプリケーション（別名、「Ｐｒｅｖｉｅｗｔｙ」）を介して多様な付加情報が提供される画面を例示的に示す図である。
一方、図５は、本発明の一実施例に係るプッシュ通知が伝達される構成を例示的に示す図である。
【００３９】
図５を参照すると、本発明の一実施例によると、メインシステム２００は、ユーザー端末装置３００Ａから受信されたプッシュ通知を、該当するサービスプロバイダのサーバ４００Ａに伝達する機能を実行することができＳ５１０、Ｓ５２０、逆にサービスプロバイダのサーバ４００Ｃから受信されるプッシュ通知を、該当するユーザーのユーザー端末装置３００Ｃに伝達する機能を実行することができるＳ５３０、Ｓ５４０。ここで、プッシュ通知の伝達はメインシステム２００が管理するアプリケーションによって実行されることができる。
【００４０】
また、本発明の一実施例によると、メインシステム２００はユーザー端末装置３００とサービスプロバイダサーバ４００との間で伝達されるプッシュ通知を所定のデータベース（未図示）に保存（つまり、バックアップ（ｂａｃｋｕｐ））することができ、これによりユーザー端末装置３００とサービスプロバイダサーバ４００のいずれかが、メインシステム２００と接続されていない場合でも、プッシュ通知が正常に伝達されるようにすることができる。
【００４１】
例えば、本発明の一実施例によると、ユーザー端末装置３００とサービスプロバイダサーバ４００との間で伝達されるプッシュ通知には、サービスプロバイダサーバ４００と接続されている病院の診断や治療機器（未図示）から入力される顔面基盤データ情報やサービスプロバイダサーバ４００と接続されている管理者端末装置（未図示）から入力されるお知らせなどの情報が含まれることができる。
【００４２】
次に、本発明の一実施形態に係る通信部２４０は、メインシステム２００からの/へのデータの送受信を可能にする機能を実行することができる。
最後に、本発明の一実施形態に係る制御部２５０は、顔データ収集部２１０、サービスプロバイダ管理部２２０、アプリケーション管理部２３０と通信部２４０との間のデータの流れを制御する機能を実行することができる。すなわち、本発明に係る制御部２６０は、メインシステム２００の外部からの/へのデータフロー又はメインシステム２００の各構成要素間のデータフローを制御することにより、顔データ収集部２１０、サービスプロバイダ管理部２２０、アプリケーション管理部２３０と通信部２４０から、それぞれ固有の機能を実行するように制御することができる。
【００４３】
以上説明した本発明に係る実施例は、様々なコンピュータの構成要素を介して実行されることができるプログラムコマンドの形で実装され、非一時的なコンピュータ読み取り可能な記録媒体に記録されることができる。前記コンピュータ読み取り可能な記録媒体は、プログラムコマンド、データファイル、データ構造などを単独又は組み合わせて含むことができる。前記コンピュータ読み取り可能な記録媒体に記録されるプログラムコマンドは、本発明のために特別に設計されて構成されたものか、又はコンピュータソフトウェア分野の当業者に公知されて使用可能なものであることができる。コンピュータ読み取り可能な記録媒体の例には、ハードディスク、フロッピーディスク、及び磁気テープのような磁気媒体、ＣＤ−ＲＯＭやＤＶＤなどの光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉｕｍ）、及びＲＯＭ、ＲＡＭ、フラッシュメモリなどのような、プログラムコマンドを保存して実行するように特別に構成されたハードウェアデバイスが含まれる。プログラムコマンドの例には、コンパイラによって作られるような機械語コードだけでなく、インタプリタなどを使用してコンピュータによって実行されることができる高級言語コードも含まれる。ハードウェアデバイスは、本発明に係る処理を実行するために複数のソフトウェアモジュールに変更することができ、その逆も同様である。
【００４４】
以上で、本発明が具体的な構成要素などの特定の事項と限定された実施例と図面によって説明されたが、これは本発明のより全般的な理解を助けるために提供されたものであり、本発明は前記実施例に限定されるものではなく、本発明の属する技術分野で通常の知識を有する者であれば、このような記載から多様な修正と変更を図ることができる。
【００４５】
したがって、本発明の思想は、前記説明した実施例に限定されてはならず、後述する特許請求の範囲だけでなく、この特許請求の範囲と均等な、又はこれより等価的に変更されたすべての範囲は、本発明の思想の範疇に属するとする。
【符号の説明】
【００４６】
１００：ネットワーク
２００：メインシステム
２１０：顔データ収集部
２２０：サービスプロバイダ管理部
２３０：アプリケーション管理部
２４０：通信部
２５０：制御部
３００、３００Ａ、３００Ｂ、３００Ｃ：ユーザー端末装置
４００、４００Ａ、４００Ｂ、４００Ｃ：サービスプロバイダサーバ
５００：顔データ生成装置
【図１】
0006772146.tif 000002
【図２】
0006772146.tif 000003
【図３（ａ）】
0006772146.tif 000004
【図３（ｂ）】
0006772146.tif 000005
【図３（ｃ）】
0006772146.tif 000006
【図４（ａ）】
0006772146.tif 000007
【図４（ｂ）】
0006772146.tif 000008
【図４（ｃ）】
0006772146.tif 000009
【図５】
0006772146.tif 000010